【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
ソレノイドボディ（１８）と、
選択的に励磁可能なコイル（２２）と、
前記コイルに隣接して配置され、アーマチュアから延在するバルブステム（４８）を有するアーマチュア（２８）と、を備え、
前記コイルは、前記アーマチュアと前記バルブステムを第１位置から第２位置へ移動させるように励磁可能である流体制御バルブ（１０）であって、
前記バルブボディ、前記アーマチュア及び前記バルブステムは、前記アーマチュアと前記バルブステムが、加圧流体によって前記第１位置に付勢されるように構成されていることを特徴とする流体制御バルブ。
【請求項２】
前記流体制御バルブは、前記アーマチュアと前記バルブステムを前記第１位置に付勢するスプリングを具備しないことを特徴とする請求項１に記載の流体制御バルブ。
【請求項３】
前記アーマチュア及び前記バルブステムには、第１ポペット（５４）と第２ポペット（６０）が含まれており、
前記バルブボディには、第１シート（５６）、第２シート（６２）及び第１シートと第２シートとの間の制御チャンバ（４２）を備えた供給チャンバ（４１）が形成されており、
前記第１位置において、前記第１ポペットは前記第１シートに着座されるように構成され、かつ、前記第２ポペットは、前記第２シートから離されて、前記第１シートを通過する加圧流体の流れを阻止すると共に前記第２シートを通過する前記制御チャンバからの流体を排出するように構成されており、
前記第２位置において、前記第１ポペットは前記第１シートから離されるように構成され、かつ、前記第２ポペットは、前記第２シートに着座して、前記供給チャンバから前記制御チャンバへの加圧流体の流れを許容すると共に、前記制御チャンバから排出ポートへの流れを阻止するように構成されていることを特徴とする請求項１に記載の流体制御バルブ。
【請求項４】
前記流体制御バルブは、エンジンと組み合わせて使用され、前記エンジンが停止されると共に、前記コイルが励磁されていない場合に、前記アーマチュアが前記第２位置に落下するように、前記エンジンに装着されており、それによって、前記第１ポペットを前記シートから離れるように移動させて、前記供給チャンバを前記制御チャンバに開口させて、空気を、前記供給チャンバから前記制御チャンバに排出し、かつ、前記エンジンが再始動され、前記アーマチュアと前記バルブステムが前記第１位置に移動された場合に、さらに、空気を前記排出ポートに排出することを特徴とする請求項３に記載の流体制御バルブ。
【請求項５】
前記アーマチュアは、該アーマチュアが前記第２位置から前記第１位置に移行する場合に、前記第２ポペットの追加領域が加圧流体にさらされ、それによって、前記アーマチュアを前記第１位置に付勢するように構成されていることを特徴とする請求項４に記載の流体制御バルブ。
【請求項６】
前記バルブボディ及び前記第１ポペットの一方は、前記第１シートでバイパスチャネル（５３）を形成して、前記バルブが前記第１位置にある場合に、前記バイパスチャネルを介して、前記供給チャンバから前記制御チャンバに空気を流出させることを特徴とする請求項４に記載の流体制御バルブ。
【請求項７】
さらに、磁極片と前記アーマチュアとの間にギャップ（３０）を定めるように配置された磁極片（２４）を含んでおり、前記アーマチュアは、前記ギャップと、前記磁極片及び前記ギャップと反対側の前記アーマチュアの側部との間で加圧流体のルートを定めるように構成されており、前記ギャップで加圧流体にさらされる前記アーマチュアの第１の領域は、前記ギャップと反対側の前記アーマチュアの側部で加圧流体にさらされる前記アーマチュアの第２の領域よりも大きくされており、それによって、前記アーマチュアは流体によって前記磁極片から離れるように付勢されることを特徴とする請求項１に記載の流体制御バルブ。
【請求項８】
前記バルブを第１位置に付勢する流体の力にさらされる領域は、前記バルブが前記第２位置から前記第１位置に移行するにつれて増大し、かつ、前記アーマチュアと前記磁極片との間の前記ギャップも増大することを特徴とする請求項７に記載の流体制御バルブ。
【請求項９】
フラックス通路を形成するように選択的に動作可能な電磁アクチュエータ（１０）であって、該電磁アクチュエータは、加圧下の流体が選択的に流れることが許容されるシート（５６）を有するバルブボディ（１８）と、前記電磁フラックスによって第１の方向に選択的に移動されるアーマチュア（２８）と、を含んでおり、
前記アーマチュアには、前記シートを通過する流体の流れが実質的に阻止される閉位置から、前記シートを通過する流体の流れが許容される開位置まで、前記シートに対して第１の方向に移動されるポペット（５４）が形成され、また、前記アーマチュアは、加圧下の流体の動作によって閉位置に付勢されていることを特徴とする流体制御回路。
【請求項１０】
前記ポペットは第１ポペットであり、前記バルブボディには第２シート（６２）が形成されており、前記アーマチュアには、前記第２シートを通過する流体の流れが許容される第１位置から、前記第２シートを通過する流体の流れが阻止される第２位置まで、前記第２シートに対して第１の方向に前記アーマチュアと共に移動される第２ポペット（６０）を形成するバルブステム（４８）が連結されており、また、前記第２ポペットは、前記アーマチュアが加圧下の流体によって閉位置に向けて付勢されている場合に、第１位置に向けて付勢されていることを特徴とする請求項９に記載の流体制御回路。
【請求項１１】
前記第１ポペット及び前記第２ポペットは、バルブステムによって一定の間隔の関係に保持されていることを特徴とする請求項１０に記載の流体制御回路。
【請求項１２】
前記電磁アクチュエータは、フラックスを形成するように励磁可能なコイル（２２）を含むソレノイドバルブであることを特徴とする請求項９に記載の流体制御回路。
【請求項１３】
前記バルブボディには、供給ポート（６３）を介して加圧流体が供給される第１チャンバ（４１）が形成され、さらに、前記バルブボディには、排出ポート（７０）に流体を排出する第２チャンバ（４２）が形成されており、また、第２チャンバは、シートを通過する流体の流れが許容される場合に、第１チャンバと流体連通されることを特徴とする請求項９に記載の流体制御回路。
【請求項１４】
前記アーマチュアは、前記閉位置と前記開位置との間で、前記排出ポートに対して第１の方向に前記アーマチュアと共に移動される第２ポペット（６０）を形成するバルブステム（４８）に連結されており、前記第２ポペットが前記排出ポートを閉鎖する場合に、前記第１ポペットは開放されており、かつ、前記第２ポペットが前記排出ポートを開放している場合には、前記第１ポペットは閉鎖されていることを特徴とする請求項１３に記載の流体制御回路。
【請求項１５】
励磁可能なコイル（２２）及びアーマチュア（２８）と、
バルブシート（５６）、排出シート（６２）、供給ポート（６３）、制御ポート（６６）及び排出ポート（７０）が形成されたバルブボディ（１８）と、を含んでおり、
前記アーマチュアは、前記コイルが励磁されていない場合に、前記バルブシートを通って前記供給ポートから前記制御ポートに流れる加圧流体を阻止するように、バルブシートに着座される第１ポペット（５４）を含むと共に、前記アーマチュアは、励磁されたコイルによって形成された磁力によって、第１ポペットがバルブシートから離されるように移動され、かつ、供給ポートから制御ポートへの流体の流れを許容するように、バルブボディ内で変位され、また、
前記アーマチュアに組み付けられて、前記コイルが励磁されていない場合に、前記制御ポートから前記排出ポートへの流体の流れを許容するように、前記排出シートから離され、かつ、前記コイルが励磁されている場合に、前記制御ポートから前記排出ポートへの流体の流れを阻止するように前記排出シートに着座される排出ポペット（６０）を有するバルブステム（４８）を含むことを特徴とする流体制御バルブ。